(57)【要約】【課題】軽量化及び製造コストの低減と表示パネルを保持する能力の向上及び設計の自由度の向上とを両立させることができる表示装置を提供する。【解決手段】バックライトシャーシ３のシャーシ本体３１には開口３１０と切り欠き状部分３１１〜３１６とが設けられているため、軽量であり、材料費が低減される。表示パネル２１は、正面側の前キャビネットと、背面側のシャーシ本体３１との間で保持される。シャーシ本体３１は、表示パネル２１の周縁部の一部と面方向中央部の一部とを前キャビネット側へ押し付ける。このため、表示パネル２１の保持能力が向上されている。更に、シャーシ本体３１には回路基板１１〜１３を取り付け可能な部分が多いため、回路基板１１〜１３の取り付けに関する設計の自由度が向上されている。【選択図】図５
2014066924.tif 000002
【特許請求の範囲】
【請求項１】
正面側に表示面を有する表示パネルと、
前記表示面の周縁部を囲繞する前キャビネットと、
前記前キャビネットとの間で前記表示パネルを保持する保持体と
を備える表示装置において、
前記保持体は、開口及び／又は切り欠き状部分が複数設けられている板状をなし、
前記保持体の正面の一部は、前記表示パネルの周縁部の少なくとも一部の背面側に位置し、前記保持体の正面の他部は、前記表示パネルの面方向中央部の少なくとも一部の背面側に位置していることを特徴とする表示装置。
【請求項２】
前記保持体は、複数個のＸ字状板が一体に前記表示パネルの面方向に並置された形状をなしていることを特徴とする請求項１に記載の表示装置。
【請求項３】
光源と、
前記表示パネルの背面側且つ前記保持体の正面側に配置してあり、前記光源が発した光を前記表示パネルの側へ反射する反射シートと、
前記保持体の背面側を覆う後キャビネットと
を更に備え、
該後キャビネットには、前記開口又は前記切り欠き状部分を通して、前記表示パネルとの間で前記反射シートを保持する保持突起が突設してあることを特徴とする請求項１又は２に記載の表示装置。
【請求項４】
前記表示パネルに映像を表示させるための回路基板と、
前記保持体から背面側へ突出するよう前記保持体に一体に突設されており、前記回路基板が取り付けられている板状の取付突起と
を更に備えることを特徴とする請求項１から３の何れかひとつに記載の表示装置。
【請求項５】
前記保持体の一側に掛止部が設けてあり、
前記前キャビネットの一側に、前記掛止部が掛止される被掛止部が設けてあることを特徴とする請求項１から４の何れかひとつに記載の表示装置。
【発明の詳細な説明】
【技術分野】
【０００１】
本発明は、前キャビネットと保持体との間で表示パネルが保持される構成の表示装置に関する。
【背景技術】
【０００２】
液晶表示装置は、液晶表示パネルとバックライトとバックライトシャーシと回路基板とを備える。バックライトは、液晶表示パネルの背面側から液晶表示パネルを照明する。
エッジライト方式のバックライトは、液晶表示パネルの背面側に、光学シート群を介して導光板を配置し、導光板の背面側に、反射シートを配置し、導光板の下端面に対向して、ＬＥＤ基板の一面に実装されたＬＥＤを配置してなる。
ＬＥＤが発した光は、導光板及び反射シートによって液晶表示パネルの背面側へ導かれ、光学シート群による拡散及び集光等を経て、液晶表示パネルの内部に入射する。この結果、液晶表示パネルの表示面が均一に明るくなる。
【０００３】
回路基板は、液晶表示パネルに映像を表示させるための制御基板及び電源基板等である。
液晶表示パネル、バックライト、バックライトシャーシ、及び回路基板は、前キャビネットと後キャビネットとを用いてなる筐体に収容される。このとき、液晶表示パネル、光学シート群、導光板、及び反射シートは、前キャビネットとバックライトシャーシとの間で保持される。回路基板は、バックライトシャーシの背面に取り付けられる。
【０００４】
このために、バックライトシャーシは、平板状の部分と、背面側へ突出する絞り形状の部分とを一体に有する。そして、平板状の部分で反射シート、導光板、光学シート群、及び液晶表示パネルを前キャビネット側へ押し付け、絞り形状の部分に回路基板が取り付けられる。
従来、バックライトシャーシに替えて、導光板の少なくとも一部を囲繞するフレームを備える液晶表示装置が提案されている（特許文献１参照）。特許文献１に記載の液晶表示装置の場合、液晶表示パネル、光学シート群、導光板、及び反射シートは、前キャビネットとフレームとの間で保持される。
【０００５】
フレームは、導光板の全周を囲むループ形状、又はＣ字状等をなしている。このため、フレームは、バックライトシャーシに比べて軽量である。また、バックライトシャーシに比べれば、フレームを形成するための材料が少量であるため、材料費が低減される。以上の結果、表示装置の軽量化及び製造コストの低減を図ることができる。
【先行技術文献】
【特許文献】
【０００６】
【特許文献１】特開平１１−３３７９３７号公報
【発明の概要】
【発明が解決しようとする課題】
【０００７】
しかしながら、特許文献１に記載の液晶表示装置が備えるフレームは、表示パネルの周縁部を前キャビネット側へ押し付けるものであり、表示パネルの面方向中央部を前キャビネット側へ押し付ける部分を備えていない。従って、特許文献１に記載の液晶表示装置が備えるフレームは、従来のバックライトシャーシよりも表示パネルを保持する能力に劣る。
また、特許文献１に記載の液晶表示装置が備えるフレームは、表示パネルの面方向中央部を前キャビネット側へ押し付ける部分を備えていない分、フレームに対して例えば回路基板を取り付けることができる範囲が限定されてしまう。換言すれば、設計の自由度を損なう。
【０００８】
本発明は斯かる事情に鑑みてなされたものであり、その主たる目的は、軽量化及び製造コストの低減と表示パネルを保持する能力の向上及び設計の自由度の向上とを両立させることができる表示装置を提供することにある。
【課題を解決するための手段】
【０００９】
本発明に係る表示装置は、正面側に表示面を有する表示パネルと、前記表示面の周縁部を囲繞する前キャビネットと、前記前キャビネットとの間で前記表示パネルを保持する保持体とを備える表示装置において、前記保持体は、開口及び／又は切り欠き状部分が複数設けられている板状をなし、前記保持体の正面の一部は、前記表示パネルの周縁部の少なくとも一部の背面側に位置し、前記保持体の正面の他部は、前記表示パネルの面方向中央部の少なくとも一部の背面側に位置していることを特徴とする。
【００１０】
本発明に係る表示装置は、前記保持体は、複数個のＸ字状板が一体に前記表示パネルの面方向に並置された形状をなしていることを特徴とする。
【００１１】
本発明に係る表示装置は、光源と、前記表示パネルの背面側且つ前記保持体の正面側に配置してあり、前記光源が発した光を前記表示パネルの側へ反射する反射シートと、前記保持体の背面側を覆う後キャビネットとを更に備え、該後キャビネットには、前記開口又は前記切り欠き状部分を通して、前記表示パネルとの間で前記反射シートを保持する保持突起が突設してあることを特徴とする。
【００１２】
本発明に係る表示装置は、前記表示パネルに映像を表示させるための回路基板と、前記保持体から背面側へ突出するよう前記保持体に一体に突設されており、前記回路基板が取り付けられている板状の取付突起とを更に備えることを特徴とする。
【００１３】
本発明に係る表示装置は、前記保持体の一側に掛止部が設けてあり、前記前キャビネットの一側に、前記掛止部が掛止される被掛止部が設けてあることを特徴とする。
【００１４】
本発明に係るテレビジョン受信機は、本発明に係る表示装置と、テレビジョン放送を受信する受信部とを備え、該受信部にて受信したテレビジョン放送に基づいて、前記表示装置に映像を表示するようにしてあることを特徴とする。
【００１５】
本発明にあっては、表示装置は、表示パネル、前キャビネット、及び保持体を備える。
保持体は板状をなしている。板状の保持体には、複数の開口が設けられているか、複数の切り欠き状部分が設けられているか、又は、１個若しくは複数の開口と１個若しくは複数の切り欠き状部分とが設けられている。複数の開口及び／又は切り欠き状部分が設けられている保持体は、開口及び切り欠き状部分が何れも設けられていない保持体に比べて、軽量である。また、保持体を形成するための材料が少量であるため、材料費が低減される。
【００１６】
前キャビネットは、表示パネルの表示面の周縁部を囲繞する。
表示パネルは、正面側の前キャビネットと、背面側の保持体との間で保持される。このとき、保持体は、表示パネルの周縁部の少なくとも一部と、表示パネルの面方向中央部の少なくとも一部とを、前キャビネット側へ押し付ける。このため、特許文献１に記載の液晶表示装置が備えるフレームに比べて、表示パネルを保持する能力が向上されている。更に、特許文献１に記載の液晶表示装置が備えるフレームに比べて、例えば回路基板の取り付け位置に関する設計の自由度が向上されている。
【００１７】
本発明にあっては、保持体は、例えばＸＸ字板状をなしている。ここで、ＸＸ字板状とは、２個のＸ字状板が一体に表示パネルの面方向に並置された形状である。
Ｘ字板状の保持体、及びＸＸ字板状の保持体は、何れも、表示パネルの撓み、又は表示装置に加えられる捩じり等に対する強度が高いことが経験的にわかっている。ところが、Ｘ字板状の保持体は、特に回路基板が複数枚である場合に、各回路基板を安定して配置することが困難である。
【００１８】
ＸＸ字板状の保持体は、複数枚の回路基板の安定的な配置と強度とを両立させることができる。これは、３個以上のＸ字状板が一体に表示パネルの面方向に並置された形状の保持体でも同様である。
【００１９】
本発明にあっては、表示装置は、光源、反射シート、及び後キャビネットを更に備える。
表示パネル及び反射シートは、正面側の前キャビネットと背面側の保持体との間で保持される。更に、反射シートは、表示パネルと、後キャビネットに突設してある保持突起との間で保持される。このために、保持突起は保持体の開口又は切り欠き状部分に挿通される。
【００２０】
保持突起が存在することによって、反射シートの、保持体の開口又は切り欠き状部分の正面側に位置する部分を安定して保持することができる。つまり、保持体に開口及び／又は切り欠き状部分が設けられているせいで反射シートに撓み又は位置ずれ等が生じる不都合を抑制することができる。
光源が発した光は、反射シートにて反射することによって表示パネルの背面側から表示パネルの内部に入射する。
【００２１】
本発明にあっては、表示装置は、回路基板及び取付突起を更に備える。
取付突起は、保持体に一体に突設されている。
回路基板は取付突起に取り付けられている。取付突起は、保持体から背面側へ突出している。故に、回路基板を、保持体及び保持体よりも正面側に存在する部材から離隔させることができる。
【００２２】
本発明にあっては、前キャビネットの一側に設けてある被掛止部に、保持体の一側に設けてある掛止部を掛止する。この場合、保持体を前キャビネットに掛止することができるため、前キャビネットに対して保持体を容易に組み付けることができる。
【００２３】
本発明にあっては、テレビジョン受信機は、本発明に係る表示装置と受信部とを備える。
本発明に係る表示装置においては、軽量且つ安価な保持体によって、表示パネルを確実に保持することができる。このため、表示パネルの歪み、位置ずれ、又は破損等の発生を抑制することができる。従って、受信部にて受信したテレビジョン放送に基づく映像を安定的に表示することができる。
【発明の効果】
【００２４】
本発明の表示装置による場合、表示装置に備えられている保持体が軽量であり、保持体を形成するための材料費が低減される。このため、表示装置の軽量化及び製造コストの低減を図ることができる。
【図面の簡単な説明】
【００２５】
【図１】本発明の実施の形態に係る表示装置を備えるテレビジョン受信機の外観を示す斜視図である。
【図２】表示装置の構成を模式的に示す縦断面図である。
【図３】表示装置が備えるバックライトシャーシの構成を示す斜視図である。
【図４】バックライトシャーシの構成を示す正面図である。
【図５】バックライトシャーシの構成を示す背面図である。
【図６】バックライトシャーシの前キャビネットに対する取り付けを説明する縦断面図である。
【図７】回路基板のバックライトシャーシに対する取り付けを説明する縦断面図である。
【発明を実施するための形態】
【００２６】
以下、本発明を、その実施の形態を示す図面に基づいて詳述する。以下の説明では、図において矢符で示す上下、前後、及び左右を使用する。
【００２７】
図１は、本発明の実施の形態に係る表示装置１０を備えるテレビジョン受信機１の外観を示す斜視図である。
テレビジョン受信機１は、表示装置１０、受信基板（受信部）１１、信号処理基板１２、電源基板１３、及びスタンド１４を備えている。
表示装置１０は、矩形状の表示パネル２１と、筐体１００とを備えている。筐体１００の前部は、矩形枠状の前キャビネット１５を用いてなる。筐体１００の後部は、矩形トレイ状の後キャビネット１６を用いてなる。
【００２８】
受信基板１１、信号処理基板１２、及び電源基板１３（以下、回路基板１１〜１３と総称する）は、何れも筐体１００に内蔵されている。受信基板１１は、図示しないアンテナを介して、外部からテレビジョン放送を受信する受信回路が実装された回路基板である。信号処理基板１２は、受信基板１１が受信したテレビジョン信号に所定の信号処理を施すことによって、映像データを出力する信号処理回路が実装された回路基板である。電源基板１３は、商用電源からの電力を装置各部へ分配する電源回路が実装された回路基板である。
回路基板１１〜１３夫々の四隅には、ボルトが挿通される挿通孔１ａ，１ａ，…（図７に１個のみ図示）が形成されている。
【００２９】
表示パネル２１は、正面側に表示面２１ａを有する。そして、表示パネル２１は、信号処理基板１２の信号処理回路が出力した映像データに基づく映像を、表示面２１ａに表示する。
スタンド１４は、表示装置１０の下部に設けられており、縦姿勢の表示装置１０を支持する。
前キャビネット１５は例えばアルミニウムを用いて押出成形してなり、その中央部に矩形状の開口１５１を有する。
後キャビネット１６は、例えば電気亜鉛めっき鋼板からなる。
【００３０】
前キャビネット１５及び後キャビネット１６の上下及び左右寸法は略同じであり、互いの周縁部分が対向している。
表示パネル２１は、表示面２１ａの中央部に位置する有効表示領域が開口１５１から露出するように、縦姿勢で筐体１００に収容されている。表示パネル２１の縦横（即ち上下方向及び左右方向）の寸法は、開口１５１の縦横の寸法よりも若干大きい。故に、前キャビネット１５は、表示パネル２１の表示面２１ａの周縁部を囲繞している。
【００３１】
次に、表示装置１０の構成を詳述する。
図２は、表示装置１０の構成を模式的に示す縦断面図である。図２には、前キャビネット１５の周縁部の内、下辺部近傍の構成が示されている。図２は、回路基板１１〜１３の図示が省略してある。
図３は、表示装置１０が備えるバックライトシャーシ３の構成を示す斜視図である。
【００３２】
図４及び図５は、バックライトシャーシ３の構成を示す正面図及び背面図である。図４には、バックライトシャーシ３、回路基板１１〜１３、及び後キャビネット１６が示されている。図５には、バックライトシャーシ３及び後述する反射シート２４が示されている。
図６は、バックライトシャーシ３の前キャビネット１５に対する取り付けを説明する縦断面図である。図６には、前キャビネット１５の上辺部近傍の構成が示されている。
【００３３】
図７は、回路基板１１〜１３のバックライトシャーシ３に対する取り付けを説明する縦断面図である。図７には受信基板１１の場合が例示してあるが、信号処理基板１２又は電源基板１３の場合も同様である。
まず、前キャビネット１５について説明する。
前キャビネット１５は、中央部に開口１５１が形成された矩形板状になしてあり、前キャビネット１５の前面は外部に露出している。
【００３４】
前キャビネット１５の後面における開口１５１の開口縁部（即ち前キャビネット１５の内縁部分）には、表示パネル２１の損傷を抑制するための弾性部材１５３が、前キャビネット１５の周縁方向に沿って連続的又は断続的に配置してある。
【００３５】
前キャビネット１５の後面の上辺部（即ち、前キャビネット１５の天側）には、横姿勢に配された四角柱状の被掛止部１７が複数個、夫々後方へ突設されている（１個のみ図示）。被掛止部１７，１７，…は、左右方向に並設されている。各被掛止部１７の後端面には、ネジ穴１７１が設けられている。
前キャビネット１５の後面の下辺部には、横姿勢に配された四角柱状のネジ受け１５４が複数個、夫々後方へ突設されている（１個のみ図示）。ネジ受け１５４，１５４，…は、左右方向に並設されている。各ネジ受け１５４の後端面には、ネジ穴１５５が左右方向に並設されている。
【００３６】
次に、表示パネル２１について説明する。
表示パネル２１は、液晶表示パネルを用いてなる。表示パネル２１は、後述するエッジライト方式のバックライトによって、表示パネル２１の背面２１ｂ側から照明される。表示パネル２１は表示面２１ａ側のガラス板と背面２１ｂ側のガラス板とを有する。２枚のガラス板の間には液晶が配されており、液晶に印加された電圧に応じて、表示パネル２１の透過率が変化する。従って、バックライトからの光は、表示パネル２１を透過するか、又は、表示パネル２１の通過を遮断される。この結果、表示面２１ａに映像が表示される。
【００３７】
バックライトは、光学シート群２２、導光板２３、反射シート２４、ＬＥＤ（光源）２５，２５，…、及びＬＥＤ基板２６を用いて構成される。光学シート群２２については次に説明し、これ以外については更に後で述べる。
光学シート群２２は、光の拡散機能を有する光学シート及び集光機能を有する光学シート等、複数枚の光学シートが積層されてなる。光学シート群２２は、表示パネル２１の背面２１ｂに密着配置されている。
背面２１ｂに光学シート群２２が密着配置された表示パネル２１は、表示面２１ａの周縁部が弾性部材１５３に接触するようにして、前キャビネット１５に後方から取り付けられる。
【００３８】
次に、ＬＥＤユニットの構成を説明する。ここでは、ＬＥＤ２５，２５，…、ＬＥＤ基板２６、及びヒートシンク２７のひとまとまりをＬＥＤユニットという。
ＬＥＤ基板２６は、横姿勢に配された横長の矩形板状になしてある。ＬＥＤ基板２６の上面には、ＬＥＤ基板２６の長手方向に並置された複数個のＬＥＤ２５，２５，…が実装されている。
【００３９】
ヒートシンク２７は、横長の棒状、且つ縦断面形状が倒立Ｌ字状になしてある。ヒートシンク２７は、一側が横姿勢に配された矩形板状の基板取付部２７１であり、他側が縦姿勢に配された矩形板状の筐体取付部２７２である。基板取付部２７１の上面には、ＬＥＤ基板２６が取り付けられている。このとき、基板取付部２７１及びＬＥＤ基板２６夫々の長手方向が互いに沿う。
ＬＥＤユニットは、基板取付部２７１の先端部を前側に向け、基端部を後ろ側に向けて、前キャビネット１５に後方から取り付けられる。
【００４０】
このとき、ヒートシンク２７は、後述するように前キャビネット１５にビス留めされる。このために、筐体取付部２７２には、前キャビネット１５のネジ穴１５５，１５５，…に対応するバカ孔が形成されている。
また、このとき、ＬＥＤ２５，２５，…は、導光板２３の下端面に対向配置される。
【００４１】
次に、バックライトの構成を説明する。
導光板２３は、矩形板状になしてある。導光板２３は、光学シート群２２の背面に密着配置される。
反射シート２４は、導光板２３の背面に密着配置される。
【００４２】
ＬＥＤ２５，２５，…から放射された光は、導光板２３の下端面から導光板２３の内部に入射する。導光板２３の内部に入射した光は、導光板２３の正面又は背面から出射する（即ち導光板２３が面発光する）。導光板２３の背面から出射した光は、反射シート２４で反射し、再び導光板２３の内部に入射する。導光板２３の正面から出射した光は、光学シート群２２による拡散及び集光等を経て、表示パネル２１の背面２１ｂから表示パネル２１の内部に入射する。この結果、表示パネル２１の表示面２１ａが、均一に明るくなる。
【００４３】
バックライトシャーシ３は、前キャビネット１５との間で表示パネル２１、光学シート群２２、導光板２３、及び反射シート２４を保持する。また、バックライトシャーシ３は、回路基板１１〜１３を支持する。このために、バックライトシャーシ３は金属製の板状をなしている。また、バックライトシャーシ３は、シャーシ本体（保持体）３１と、複数個の取付突起３２，３２，…と、掛止部３３，３３，…とを一体に有している。
【００４４】
バックライトシャーシ３は一般に鉄製である。ただし、バックライトシャーシ３は、十分な強度を有しているのであれば、鉄製のものより軽量の、例えばアルミニウム製のものでも特段の問題はない。
【００４５】
シャーシ本体３１は、矩形板に、開口３１０及び切り欠き状部分３１１〜３１６が形成されたような形状をなす。
開口３１０は菱形状をなし、シャーシ本体３１の上下左右方向中央部に設けられている。
切り欠き状部分３１１，３１４夫々は倒立二等辺三角形状をなす。切り欠き状部分３１１，３１４は、シャーシ本体３１の上辺部にて左右方向に並設されている。
【００４６】
切り欠き状部分３１２は右側へ転倒した二等辺三角形状をなす。切り欠き状部分３１２は、シャーシ本体３１の左辺部の上下方向中央部に設けられている。
切り欠き状部分３１３，３１６夫々は二等辺三角形状をなす。切り欠き状部分３１３，３１６は、シャーシ本体３１の下辺部にて左右方向に並設されている。
切り欠き状部分３１５は左側へ転倒した二等辺三角形状をなす。切り欠き状部分３１５は、シャーシ本体３１の右辺部の上下方向中央部に設けられている。
【００４７】
更に詳細には、シャーシ本体３１は、２個のＸ字状板が一体に左右方向に面方向に並置された形状をなしている。従って、シャーシ本体３１は、シャーシ本体３１の左側部にて放射線状に配されている第１〜第４の板部３１ａ〜３１ｄと、シャーシ本体３１の右側部にて放射線状に配されている第５〜第８の板部３１ｅ〜３１ｈとを一体に有する。
【００４８】
第１の板部３１ａ（及び第２の板部３１ｂ）は、左側のＸ字状板の左上部分（及び右上部分）であり、第３の板部３１ｃ（及び第４の板部３１ｄ）は、左側のＸ字状板の左下部分（及び右下部分）である。
同様に、第５の板部３１ｅ（及び第６の板部３１ｆ）は、右側のＸ字状板の左上部分（及び右上部分）であり、第７の板部３１ｇ（及び第８の板部３１ｈ）は、右側のＸ字状板の左下部分（及び右下部分）である。
【００４９】
第１の板部３１ａと第２の板部３１ｂとの間、第１の板部３１ａと第３の板部３１ｃとの間、及び第３の板部３１ｃと第４の板部３１ｄとの間は、シャーシ本体３１の切り欠き状部分３１１，３１２，３１３である。
同様に、第５の板部３１ｅと第６の板部３１ｆとの間、第６の板部３１ｆと第８の板部３１ｈとの間、及び第７の板部３１ｇと第８の板部３１ｈとの間は、シャーシ本体３１の切り欠き状部分３１４，３１５，３１６である。
【００５０】
第２の板部３１ｂの先端部と第５の板部３１ｅの先端部とは連結されており、第４の板部３１ｄの先端部と第７の板部３１ｇの先端部とは連結されている。そして、第２の板部３１ｂ、第４の板部３１ｄ、第７の板部３１ｇ、及び第８の板部３１ｈに囲繞されている部分が、シャーシ本体３１の開口３１０である。
【００５１】
第１の板部３１ａ、第２の板部３１ｂ、第５の板部３１ｅ、及び第６の板部３１ｆ夫々の先端部には、被掛止部１７，１７，…のネジ穴１７１，１７１，…に対応するバカ孔３１７，３１７，…（図６参照）が形成されている。
また、第１の板部３１ａ、第２の板部３１ｂ、第５の板部３１ｅ、及び第６の板部３１ｆ夫々の先端部（即ち、シャーシ本体３１の天側）から前方へ、横姿勢に配された板状の掛止部３３，３３，…が突設されている。
第３の板部３１ｃ、第４の板部３１ｄ、第７の板部３１ｇ、及び第８の板部３１ｈ夫々の先端部には、前キャビネット１５のネジ穴１５５，１５５，…に対応するバカ孔３１８，３１８，…（図２参照）が形成されている。
【００５２】
各取付突起３２は、シャーシ本体３１から背面側へ突出するＬ字アングル状をなす。各取付突起３２のＬ字アングルの一側は、表示パネル２１に直交する縦姿勢（即ち上下及び前後方向に沿う縦姿勢）の平板状をなし、シャーシ本体３１の適宜の箇所から後方へ立ち上げられている。各取付突起３２のＬ字アングルの他側は、表示パネル２１に平行な縦姿勢（即ち上下及び左右方向に沿う縦姿勢）の平板状をなし、ボルトが挿通される挿通孔３２ａ（図７参照）が形成されている。
【００５３】
以上のようなバックライトシャーシ３を取り付ける場合、まず、バックライトシャーシ３の掛止部３３，３３，…が、前キャビネット１５の被掛止部１７，１７，…の上面に掛止される。このとき、シャーシ本体３１の正面が、反射シート２４の背面に密着配置される。
【００５４】
次に、シャーシ本体３１のバカ孔３１７，３１７，…を通して、シャーシ本体３１が被掛止部１７，１７，…のネジ穴１７１，１７１，…にビス留めされる。また、シャーシ本体３１のバカ孔３１８，３１８，…と筐体取付部２７２のバカ孔とを通して、シャーシ本体３１とヒートシンク２７が前キャビネット１５のネジ穴１５５，１５５，…にビス留め（共締め）される。
【００５５】
このとき、シャーシ本体３１の第１〜第８の板部３１ａ〜３１ｈ夫々の放射方向中央部から先端側に亘る部分が、表示パネル２１、光学シート群２２、導光板２３、及び反射シート２４夫々の周縁部における四隅の背面側と上辺部及び下辺部夫々の左右方向中央部の背面側とに位置する。この結果、表示パネル２１、光学シート群２２、導光板２３、及び反射シート２４夫々の四隅と上辺部及び下辺部夫々の左右方向中央部とが、前キャビネット１５側へ押し付けられる。
【００５６】
また、シャーシ本体３１の第１〜第８の板部３１ａ〜３１ｈ夫々の放射方向中央部から基端側に亘る部分が、表示パネル２１、光学シート群２２、導光板２３、及び反射シート２４夫々の上下左右方向中央部の一部の背面側に位置する。この結果、表示パネル２１、光学シート群２２、導光板２３、及び反射シート２４夫々の上下左右方向中央部の一部が前キャビネット１５側へ押し付けられる。表示パネル２１、光学シート群２２、導光板２３、及び反射シート２４夫々の上下左右方向中央部の一部とは、例えば、表示パネル２１、光学シート群２２、導光板２３、及び反射シート２４夫々の左半分（又は右半分）の上下左右方向中心部である。
【００５７】
バックライトシャーシ３の取り付け後、回路基板１１〜１３が夫々バックライトシャーシ３に取り付けられる。
受信基板１１の四隅は、挿通孔１ａ，１ａ，…及び挿通孔３２ａ，３２ａ…を通して、第１〜第４の板部３１ａ〜３１ｄ夫々に突設してある取付突起３２にボルト留めされる。
同様に、信号処理基板１２の四隅は、第４及び第７の板部３１ｄ，３１ｇ夫々に突設してある取付突起３２にボルト留めされる。
同様に電源基板１３の四隅は、第５〜第８の板部３１ｅ〜３１ｈ夫々に突設してある取付突起３２にボルト留めされる。
【００５８】
以上のようにしてバックライトシャーシ３に取り付けられた回路基板１１〜１３は、何れも、取付突起３２のシャーシ本体３１からの突出量分、シャーシ本体３１から離隔している。
【００５９】
次に、後キャビネット１６について説明する。
後キャビネット１６の内面には、横姿勢に配された円柱状の保持突起１８が複数個（図４では２３個）突設されている。保持突起１８，１８，…の突設位置は、開口３１０及び切り欠き状部分３１１〜３１６の形成位置に対応し、且つ、回路基板１１〜１３に干渉しない位置である。
【００６０】
後キャビネット１６は、バックライトシャーシ３の背面側を覆う。このとき、保持突起１８，１８，…の先端面は、開口３１０及び切り欠き状部分３１１〜３１６の何れかを通して、反射シート２４の背面に接触し、光学シート群２２、導光板２３、及び反射シート２４を、表示パネル２１側へ押し付ける。この結果、保持突起１８，１８，…と表示パネル２１との間で、光学シート群２２、導光板２３、及び反射シート２４が保持される。
【００６１】
以上のような表示装置１０は、バックライトシャーシ３に開口３１０及び切り欠き状部分３１１〜３１６が設けられているため、これらが設けられていない場合よりも軽量化することができる。また、バックライトシャーシ３を形成するための材料が少量であるため、材料費を低減することができる。
【００６２】
表示パネル２１、光学シート群２２、導光板２３、及び反射シート２４は、前キャビネット１５とバックライトシャーシ３のシャーシ本体３１との間で保持され、光学シート群２２、導光板２３、及び反射シート２４は、表示パネル２１と後キャビネット１６の保持突起１８，１８，…との間で保持される。従って、表示パネル２１、光学シート群２２、導光板２３、及び反射シート２４を、筐体１００の内部にて確実に保持することができる。
【００６３】
バックライトシャーシ３の取付突起３２，３２，…夫々の配置位置は、バックライトシャーシ３に替えて特許文献１に記載の液晶表示装置が備えるフレームを備える場合、及び、シャーシ本体３１がＸ字板状になしてある場合の何れに比べても、設計の自由度が高い。換言すれば、回路基板１１〜１３夫々の取付位置は、設計の自由度が高い。従って、回路基板１１〜１３夫々を、適宜の箇所にて、安定的にバックライトシャーシ３に取り付けることができる。
【００６４】
ところで、従来の液晶表示装置が備えている回路基板は、従来のバックライトシャーシの、背面側へ突出する絞り形状の部分に取り付けられる。
一方、表示装置１０の場合、シャーシ本体３１に絞り加工を行なうことは困難である。一方、バックライトシャーシ３となすべき金属板に、例えはプレス加工及び折り曲げ加工等を施すことによって、シャーシ本体３１、取付突起３２，３２，…、及び掛止部３３，３３，…を形成することは容易である。
シャーシ本体３１はＸＸ字板状をなしているため、撓み、及び捩じりに対する強度が高い。この結果、表示装置１０の無用な変形を抑制することができる。
【００６５】
特許文献１に記載の液晶表示装置が備えるフレームは、例えばロ字枠状、又はコ字枠状等である。一方、表示装置１０が備えるバックライトシャーシ３のシャーシ本体３１は、ＸＸ字板状に限定されず、田字板状、又は円字板状等でもよい。また、左右２個のＸＸ字板状に限定されず、上下２個のＸＸ字板状、左右３個のＸＸＸ字板状、又は上下左右４個のＸ字状板が一体に並置された形状等でもよい。更に、回路基板１１〜１３を特段の問題なく配置することができるのであれば、シャーシ本体３１は、Ｘ字板状でもよい。
【００６６】
バックライトシャーシ３の形状は、バックライトシャーシ３の重量、並びに、荷重、衝撃、及び撓み等に対する強度、更には、回路基板１１〜１３の配置位置等に応じて設計すればよい。例えば、強度が不足しない程度に、シャーシ本体３１の適宜の箇所に貫通孔を形成するか、又はシャーシ本体３１の適宜の箇所だけ薄肉にすることによって、更なる軽量化を図ることが可能である。
【００６７】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、表示装置１０に、実施の形態に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００６８】
１０    表示装置
１１    受信基板（回路基板）
１２    信号処理基板（回路基板）
１３    電源基板（回路基板）
１５    前キャビネット
１６    後キャビネット
１７    被掛止部
１８    保持突起
２１    表示パネル
２１ａ  表示面
２４    反射シート
２５    ＬＥＤ（光源）
３１    シャーシ本体（保持体）
３１０  開口
３１１〜３１６  切り欠き状部分
３２    取付突起
３３    掛止部
【図１】
2014066924.tif 000003
【図２】
2014066924.tif 000004
【図３】
2014066924.tif 000005
【図４】
2014066924.tif 000006
【図５】
2014066924.tif 000007
【図６】
2014066924.tif 000008
【図７】
2014066924.tif 000009